(57)【要約】【課題】モード間の切換を簡単な操作で確実に行う。【解決手段】本体４の下降位置を規制する規制機構２１において、本体４に設けた調整ボルト４２を、切換レバー３９の回転操作によって回転するストッパブロック４０に設けて、本体４の下降に伴って支柱１２側の下死点ストッパ４６と当接する干渉位置と、下死点ストッパ４６と当接しない退避位置とに移動可能とし、ストッパブロック４０は、調整ボルト４２の干渉位置で、ロック機構２０において揺動ロッド２３と係合するロックピンを後退させて本体４の固定を解除するようにした。【選択図】  図４
2004330369.tif 000002
【特許請求の範囲】
【請求項１】
モータ駆動で回転する回転刃を有し、上下動可能且つ上限位置への付勢状態で支持される本体と、その本体を所定の下降位置で固定するロック機構と、前記本体側に設けた第１当接部材と本体支持側に設けた第２当接部材との当接によって前記本体の下限位置を規制する規制機構とを備えた切断機であって、
前記第１当接部材を、前記本体の下降に伴って前記第２当接部材と当接する干渉位置と、前記第２当接部材と当接しない退避位置とに移動可能に設けると共に、前記第１当接部材を前記干渉位置と退避位置とに切換操作可能な操作手段を設け、その操作手段に、前記第１当接部材の退避位置では前記ロック機構の動作を許容し、前記第１当接部材の干渉位置では前記ロック機構の動作を阻止するように前記ロック機構を連動させたことを特徴とする切断機。
【請求項２】
ロック機構を、本体支持側で揺動可能に支持された揺動ロッドと、本体側にあって前記揺動ロッドの端部が遊挿する保持部と、その保持部内にあって前記揺動ロッド側へ進退動可能且つ前進側へ付勢され、前進位置で揺動ロッドに係合可能なロックピンとで形成したものにあっては、操作手段は、第１当接部材の退避位置では前記ロックピンの前進を許容し、干渉位置では前記ロックピンを後退させるものとした請求項１に記載の切断機。
【発明の詳細な説明】
【０００１】
【発明の属する技術分野】
本発明は、モータ駆動で回転する回転刃を有し、上下動可能且つ上限位置への付勢状態で支持される本体と、その本体を所定の下降位置で固定するロック機構と、本体側と本体支持側とに設けた当接部材同士の当接によって本体の下限位置を規制する規制機構とを備えた切断機に関する。
【０００２】
【従来の技術】
切断機は、１８０°の回転で表裏を選択して使用できるように基台に支持されるテーブルの一方の面に、水平回転可能なターンベースを有し、そのターンベースの後方へ立設した支柱に、モータ駆動する円盤状の回転刃を備えた本体を上下動可能且つ上限位置へ付勢して設けている（特許文献１参照）。よって、本体が上側となるテーブルの回転位置では、ターンベース上に載置した被切断材に対して、本体を下降させることで回転刃による定置切断が可能となる。ここでターンベースを水平回転させれば、被切断材に対して回転刃が水平方向で傾斜する角度切りが可能となり、本体がターンベースに対して垂直方向に傾動可能なものにあっては、本体を傾動させれば、被切断材に対して回転刃が垂直方向で傾斜する傾斜切断が可能となる。
【０００３】
一方、本体が下側となるテーブルの回転位置では、ターンベースに設けたスリットを通して回転刃のみをテーブルの上面に突出させれば、テーブル上で被切断材を移動させてスライド切断モードとして使用できる。
このスライド切断モードの場合、回転刃がテーブルから突出する位置で本体を固定できるように、本体側とターンベース等の本体支持側との間に、本体を所定の下降位置で固定するロック機構が設けられている。特許文献１でのロック機構は、旋回中心が本体の回転中心と異なる位置に設定された揺動ロッドと、本体側にあって揺動ロッドの端部が遊挿される保持体と、揺動ロッドの側面に対して前後移動且つ前進位置へ付勢して設けられ、前進位置で揺動ロッドに設けた凹部に係合可能なストッパピンとからなり、本体の下死点でストッパピンが揺動ロッドの凹部に係合して本体の上下動を規制するようになっている。
【０００４】
【特許文献１】
独国特許発明第４０１０４５６号明細書
【０００５】
【発明が解決しようとする課題】
ところで、このような切断機においては、定置切断モードの際に本体が必要以上に下降しないように、本体の下限位置を規制する規制機構が設けられている。この規制機構としては、本体側にボルト等の第１当接部材を、支柱等の本体支持側に下死点ストッパ等の第２当接部材を夫々設けたものがよく使用される。他方、スライド切断モードで使用の場合は、テーブルの上面への回転刃の突出量を確保する必要があるため、定置切断モードの際には規制機構が邪魔になる。よって、当接部材がボルトであれば突出量を最小としたり、下死点ストッパを退避位置に移動させたりする必要がある。逆に、スライド切断モードから定置切断モードへ復帰させる場合は、ストッパピンと揺動ロッドとの係合を解除させてロック機構を解除した後、規制機構を退避位置から元の設定に戻す操作が必要となる。
【０００６】
しかし、このスライド切断モードと定置切断モードとの切換の度にいちいち規制機構の規制を解除したり再び戻したりする操作が面倒である上、外し忘れて当接部材同士が勢いよく当接すると、一方または双方の当接部材が損傷したり、戻し忘れると回転刃が下がり過ぎてテーブルや回転刃が損傷したりするおそれが生じる。
【０００７】
そこで、請求項１に記載の発明は、両モード間の切換が簡単な操作で確実に行え、使い勝手に優れる切断機を提供することを目的としたものである。
【０００８】
【課題を解決するための手段】
上記目的を達成するために、請求項１に記載の発明は、第１当接部材を、本体の下降に伴って第２当接部材と当接する干渉位置と、第２当接部材と当接しない退避位置とに移動可能に設けると共に、第１当接部材を干渉位置と退避位置とに切換操作可能な操作手段を設け、その操作手段に、第１当接部材の退避位置ではロック機構の動作を許容し、第１当接部材の干渉位置ではロック機構の動作を阻止するようにロック機構を連動させたことを特徴とするものである。
【０００９】
請求項２に記載の発明は、請求項１の目的に加えて、ロック機構が、本体支持側で揺動可能に支持された揺動ロッドと、本体側にあって揺動ロッドの端部が遊挿する保持部と、その保持部内にあって揺動ロッド側へ進退動可能且つ前進側へ付勢され、前進位置で揺動ロッドに係合可能なロックピンとで形成したものにあって、ロック機構の連動を簡単且つ合理的に行うために、操作手段は、第１当接部材の退避位置ではロックピンの前進を許容し、干渉位置ではロックピンを後退させる構成としたものである。
なお、本体支持側とは、支柱やアーム、ターンベース等、本体を支持して本体と一体に上下動しない構成部をいう。
【００１０】
【発明の実施の形態】
以下、本発明の実施の形態を図面に基づいて説明する。
図１は、切断機の一例である丸鋸機の左側面図、図２はその平面図である。丸鋸機１は、基台２の上端で水平に支持されるテーブル３と、そのテーブル３の表面上にあって、モータ５で回転駆動する円盤状の鋸刃６（回転刃）を備えた本体４とからなる。テーブル３は、基台２の上端に所定間隔をおいて平行に配設される一対の支持板７，７の間にあって、左右の側辺中央部をピン８，８によって回転可能に支持されて、本体４がテーブル３の上側となる定置切断位置と、テーブル３の下側となるスライド切断位置との一方を選択し、ピン８，８を中心とした回転による切換動作を終了させる時に、固定手段９，９によって選択された位置で固定可能となっている。なお、図１，２共に定置切断位置でテーブル３は固定されている。
【００１１】
定置切断位置でのテーブル３上には、円盤状のターンベース１０が水平回転可能に設けられており、そのターンベース１０の中央後方で突設された支持アーム１１の先端に、図３にも示すように、支柱１２の下端が、後方から螺着されるボルト１３によって左方向へのみ傾動可能に軸着されている。１４はボルト１３の先端に嵌着された操作レバーである。また、支柱１２には、本体４の基端が、軸１５によって回転可能に軸着されると共に、トーションスプリング１６によって図１に示す上限位置への付勢状態で支持されている。
１７は、本体４の右側面でモータ５の上方に延設され、スイッチを備えたハンドル、１８は切断屑の排出筒で、テーブル３上には、ターンベース１０の上方を左右へ横切る格好でガイドフェンス１９が固定されている。
【００１２】
よって、図１，２の状態からハンドル１７を把持して鋸刃６を回転させ、本体４をトーションスプリング１６の付勢に抗して下降させると、本体４が軸１５を中心とした円弧軌跡で下降し、ターンベース１０上でガイドフェンス１９に押し当てて固定した被切断材を定置切断することができる。なお、操作レバー１４を操作してボルト１３を緩めれば、支柱１２及び本体４を左側へ傾動させて、鋸刃６を垂直方向で任意の角度傾斜させることができるため、そのまま本体４を下降させれば傾斜切断が可能となる。また、ターンベース１０と共に本体４を水平回転させれば、鋸刃６を水平方向で任意の角度傾かせることができるため、そのまま本体４を下降させれば角度切りが可能となる。
【００１３】
そして、本体４の右側面で基端側には、スライド切断モードとして使用する場合に本体４を所定の下降位置で固定するロック機構２０と、定置切断モードとして使用する場合に本体４の下死点（下限位置）を規制する規制機構２１とが併設されている。まずロック機構２０は、図４〜６にも示すように、支柱１２における軸１５よりも上方位置で上下方向に回転可能に保持されたブロック２２に遊挿される揺動ロッド２３と、本体４側でブロック２２と鋸刃６との間に設けられ、揺動ロッド２３の所定位置で係合するロックピン２４と、そのロックピン２４の揺動ロッド２３への係脱を切換可能な切換ロッド２５とを有している。
【００１４】
揺動ロッド２３は、ブロック２２に対して回転可能に支持されており、大径部２６がストッパスリーブ２７との間でブロック２２を挟持することで、ブロック２２を揺動可能に支持されている。なお、ストッパスリーブ２７は止め輪２７ａによって軸方向に保持されている。また、揺動ロッド２３の後方側の端部には、操作用のノブ２８が一体に固着される一方、前方側の端部には、スリーブ状のアジャストナット２９が螺合されており、このアジャストナット２９を含む前方側端部を、本体４の側面に突設した筒状の保持部３０内で回転可能に保持された円盤状の保持ブロック３１に遊挿させている。
また、アジャストナット２９において、本体４側の側面には、ロックピン２４が係合可能な円形の凹部３２が形成される一方、反対側の側面には、保持部３０の軸心に固定されたピン３３の先端が嵌合する規制溝３４が、軸方向に亘って凹設されている。よって、ノブ２８を利用して揺動ロッド２３を回転操作すると、ピン３３の嵌合によって回転規制されるアジャストナット２９が軸方向へネジ送りされて、凹部３２の位置が調整可能となっている。
【００１５】
一方、ロックピン２４は、保持部３０内の基端側で、保持ブロック３１の軸心に形成された透孔３５に先端を挿通させた状態で、保持部３０に対して軸方向へ移動可能に収容されて、前進位置で、アジャストナット２９の凹部３２に嵌合可能となっている。このロックピン２４の中央部には、連結板３６が一体に固着され、その連結板３６を、保持部３０の基端側に収容したコイルバネ３７によって保持ブロック３１側へ付勢していることから、ロックピン２４は、常態ではアジャストナット２９の凹部３２に嵌合する前進位置へ付勢されることになる。
【００１６】
また、切換ロッド２５は、保持部３０の基端側で揺動ロッド２３と交差する格好で、保持部３０に連設された保持スリーブ３８によって回転可能に保持され、上端には、切換レバー３９が一体に固着される一方、下端にはストッパブロック４０が一体に固着されている。このストッパブロック４０は、図７にも示すように、切換ロッド２５の前方に、連結板３６の前進側に位置する押圧部４１を有し、切換ロッド２５の後方に、切換ロッド２５と平行な調整ボルト４２を直交状に螺合させた平板体となっている。よって、切換レバー３９を図７において右回転させると、切換ロッド２５と共にストッパブロック４０が右回転し、調整ボルト４２を外側へ移動させると同時に押圧部４１を内側へ移動させて、連結板３６を図６，７の実線で示すようにコイルバネ３７の付勢に抗して保持部３０の基端側へ押込み、ロックピン２４を後退させてアジャストナット２９の凹部３２から離脱させることができる。一方、切換レバー３９を左回転させると、図７の二点鎖線で示すようにストッパブロック４０が左回転し、調整ボルト４２を内側へ移動させると共に、押圧部４１を外側へ移動させて、ロックピン２４と連結板３６との前進を許容するものとなる。
【００１７】
なお、保持スリーブ３８には、コイルバネ４３によって下方へ付勢されるボール４４が収容される一方、ストッパブロック４０には、図７の実線で示す右回転位置と二点鎖線で示す左回転位置とに対応してボール４４が嵌合する半円状の凹部４５，４５が形成されて、連結板３６を介した押圧部４１への付勢にかかわらず、ストッパブロック４０と共に切換ロッド２５を右回転位置と左回転位置とで夫々固定可能としている。このように左右の回転位置へ一体に切り換えられる切換ロッド２５，切換レバー３９，ストッパブロック４０が本発明の操作手段に相当する。
【００１８】
そして、本体４の下死点を設定する規制機構２１は、ストッパブロック４０に設けられた第１当接部材としての調整ボルト４２と、支柱１２の基端前面に設けられた第２当接部材としての厚板状の下死点ストッパ４６とから形成される。調整ボルト４２は、ストッパブロック４０の右回転位置で下死点ストッパ４６の上方に位置するように頭部を下にして螺合されて、ストッパブロック４０から下方への突出量を調整可能となっている。また、調整ボルト４２には、ストッパブロック４０の下面際でナット４７が螺合されて、調整ボルト４２を突出位置で固定可能としている。
【００１９】
一方、下死点ストッパ４６は、支柱１２から前方へ突設された上下一対の保持アーム４８，４８間でピン４９によって回転可能に軸着されると共に、トーションスプリング５０によって本体４側への回転方向へ付勢されている。但し、支柱１２の基端に形成されたストッパ５１との当接によって、常態では保持アーム４８と平行に前方へ突出する図４，７の位置で回転規制されている。この回転規制位置で、本体４の上下動に伴う調整ボルト４２の移動軌跡と干渉するようになっていることから、本体４を下降させると、調整ボルト４２が下死点ストッパ４６に当接する位置で本体４の下死点が設定されることになる。
【００２０】
以上の如く構成された丸鋸機１においては、まず本体４がテーブル３の上側に位置する定置切断モードとして使用する場合は、切換レバー３９を右回転させて切換ロッド２５と共にストッパブロック４０を右回転位置（干渉位置）に固定すれば、調整ボルト４２が外側に移動する。
よって、ハンドル１７を把持して本体４を下降させれば、図４に示す如く、調整ボルト４２が下死点ストッパ４６に当接する深さまで切断可能となる。なお、傾斜切断や角度切りの際も本体４の傾動や水平回転に支柱１２が追従するので、常に調整ボルト４２と下死点ストッパ４６との当接は得られる。また、ストッパブロック４０の右回転によって押圧部４１が連結板３６及びロックピン２４を後退位置へ押し込むため、ロック機構２０は解除状態となり、本体４の下降にかかわらず、ロックピン２４がアジャストナット２９の凹部３２に嵌合することはない。
【００２１】
一方、本体４がテーブル３の下側に位置するスライド切断モードとして使用する場合は、切換レバー３９を左回転させて切換ロッド２５及びストッパブロック４０を左回転位置（退避位置）に固定すれば、調整ボルト４２が内側に位置して、本体４の下降に伴う調整ボルト４２の移動軌跡上に下死点ストッパ４６が位置せず、規制機構２１は機能しない状態となる。また、ストッパブロック４０の回転によって押圧部４１が連結板３６の前方へ移動するため、コイルバネ３７の付勢によって連結板３６とロックピン２４とが前進し、ロックピン２４の先端がアジャストナット２９の側面に当接する。よって、ハンドル１７を把持して本体４を下降させれば、軸１５を中心とした本体４の回転軌跡と、ブロック２２を中心とした揺動ロッド２３の回転軌跡との相違により、アジャストナット２９が保持部３０内を軸方向へ移動するため、本体４の所定の下降位置でロックピン２４がアジャストナット２９の凹部３２に係合し、当該位置で本体４の上下動がロックされる。
【００２２】
このロック状態では、鋸刃６はターンベース１０の刃口板を貫通してテーブル３の下方に突出する。よって、ここでテーブル３を１８０°回転させて固定すれば、図８に示すように、テーブル３の上面に鋸刃６の一部が突出する格好となるため、固定状態で回転する鋸刃６に対して被切断材を同図の右側からテーブル３上でスライドさせて切断を行うことができる。なお、５２は、スライド切断モード時にテーブル３の裏面（本体４と反対側の面）に取り付けられて、常態では鋸刃６を覆う位置にあり、切断時には被切断材が当接して鋸刃６を開放させる安全カバーである。
【００２３】
そして、スライド切断モードから再び定置切断モードへ復帰させる場合は、まずテーブル３を１８０°回転させて本体４が上側となる位置でテーブル３を固定し、切換レバー３９を右回転させて切換ロッド２５及びストッパブロック４０を干渉位置に固定する。すると、押圧部４１が連結板３６とロックピン２４とを後退させてロックピン２４を凹部３２から離脱させるため、そのまま本体４をトーションスプリング１６の付勢によって上限位置まで復帰させることができる。なお、この復帰時のストッパブロック４０の回転によって下死点ストッパ４６に当接することになるが、下死点ストッパ４６はトーションスプリング５０の付勢に抗して左回転してストッパブロック４０または調整ボルト４２の移動を許容するため、切換レバー３９による切り換え操作には何ら影響がない。そして、本体４が上限位置に復帰する際には、調整ボルト４２が上方へ移動することで下死点ストッパ４６は再びトーションスプリング５０の付勢によってストッパ５１に当接する図４，７の位置へ復帰する。
【００２４】
このように上記形態の丸鋸機１によれば、調整ボルト４２を、本体４の下降に伴って下死点ストッパ４６と当接する干渉位置と、下死点ストッパ４６と当接しない退避位置とに移動可能に設けると共に、調整ボルト４２を干渉位置と退避位置とに切換操作可能な操作手段を設け、その操作手段に、調整ボルト４２の退避位置ではロック機構２０の動作を許容し、干渉位置ではロック機構２０の動作を阻止するようにロック機構２０を連動させたことで、定置切断モードからスライド切断モードへ、スライド切断モードから定置切断モードへの何れの切り換えの際にも操作手段での切換レバー３９のみの回転操作で足り、而も誤動作のおそれがなく確実に切り換え可能となる。よって、使い勝手に優れる丸鋸機となる。
特に、操作手段は、ロック機構２０において、調整ボルト４２の退避位置ではロックピン２４の前進を許容し、干渉位置ではロックピン２４を後退させる構造としたことで、ロック機構２０の連動が簡単且つ合理的に行えるようになっている。
【００２５】
なお、ロック機構や規制機構の具体的な構造は、上記形態に限らず、適宜変更可能である。例えばロック機構では、アジャストナットを設けずに、揺動ロッドに複数の凹部を周方向に位置をずらせながら並設して、揺動ロッドの回転位置でロックピンが係合する凹部を選択するようにしても良いし、凹部に代えて溝を周設しても良い。勿論アジャストナットや凹部を複数設けずに、一つの凹部とロックピンとの係合で固定する下降位置を一箇所のみとすることもできる。また、連結板をなくして、ロックピンを前方が小径部となる二段径としてストッパブロックを貫通させ、ストッパブロックの回転にロックピンを直接連動させたり、切換ロッドをなくして切換レバーをストッパブロックに設けたり等の変更も可能である。
【００２６】
一方、規制機構においても、上記形態では、当接部材は本体側が調整ボルト、本体支持側が下死点ストッパとなっているが、これを逆にして、本体側にストッパ、本体支持側に調整ボルトを設けることもできるし、本体側、本体支持側双方の当接部材を調整ボルトとすることもできる。
さらに、操作手段は、切換ロッドとストッパブロックとの回転による切換操作に限らず、本体側の調整ボルト等の当接部材を、スライドレバー等の操作部材によって干渉位置と退避位置との間で直線的に移動可能として、干渉位置でロック機構を解除（例えばロックピンを後退）するようにしても差し支えない。
その他、切断機としては、上記形態のように軸によって本体が回転しながら上下動する構造に限らず、支柱等の支持部材に沿って直線的に上下動し、付勢手段によって上限位置に付勢される構造であっても本発明は適用可能である。
また、テーブルが回転しない固定型で、定置切断モードの機能のみを有してスライド切断に使用されない切断機であっても、運搬時に本体を下死点でロックするロック機構が規制機構と併設されることがあるため、本発明の適用は可能である。
【００２７】
【発明の効果】
請求項１に記載の発明によれば、定置切断モードからスライド切断モードへ、スライド切断モードから定置切断モードへの何れの切り換えの際にも操作部材のみの操作で足り、而も誤動作のおそれがなく確実に切り換え可能となる。よって、使い勝手に優れる切断機を得ることができる。
請求項２に記載の発明によれば、請求項１の効果に加えて、ロック機構を前記揺動ロッドと保持部とロックピンとで形成したものにあって、操作手段は、第１当接部材の退避位置ではロックピンの前進を許容し、干渉位置ではロックピンを後退させる構成としたことで、ロック機構の連動が簡単且つ合理的に行えるようになっている。
【図面の簡単な説明】
【図１】丸鋸機の左側面図である。
【図２】丸鋸機の平面図である。
【図３】本体の基端部分の拡大説明図である。
【図４】本体の右側面の説明図である。
【図５】本体の基端部分の拡大平面図である。
【図６】本体におけるロックピン部分の断面図である。
【図７】ストッパブロックの作動説明図である。
【図８】スライド切断モードとして使用する際の丸鋸機の左側面図である。
【符号の説明】
１・・丸鋸機、２・・基台、３・・テーブル、４・・本体、６・・鋸刃、１０・・ターンベース、１２・・支柱、１５・・軸、２０・・ロック機構、２１・・規制機構、２３・・揺動ロッド、２４・・ロックピン、２５・・切換ロッド、２９・・アジャストナット、３６・・連結板、３９・・切換レバー、４０・・ストッパブロック、４２・・調整ボルト、４６・・下死点ストッパ。
【図１】
2004330369.tif 000003
【図２】
2004330369.tif 000004
【図３】
2004330369.tif 000005
【図４】
2004330369.tif 000006
【図５】
2004330369.tif 000007
【図６】
2004330369.tif 000008
【図７】
2004330369.tif 000009
【図８】
2004330369.tif 000010